(57)【要約】【課題】読影医が必要とする医用画像を医用画像観察装置に表示させること。【解決手段】本実施形態に係る医用画像観察装置は、複数の医用画像のデータを受信するデータ受信部と、前記データ受信部により受信した前記複数の医用画像のデータに基づき医用画像を表示する表示部と、前記受信した複数の医用画像のデータに基づく医用画像を前記表示部の表示画面にレイアウトして表示するための制御を行う制御部とを具備し、前記制御部は、医用画像発生装置の種類、画像撮影条件、画像生成方法、撮影位置、操作者の指示、前記操作者による設定、および画像撮影日時のうち少なくとも一つに従って複数のグループに分類される前記受信した複数の医用画像のデータに基づく医用画像を、前記グループごとに前記表示画面上に配列して表示させ、前記操作者によるスクロール指示に従って、前記表示画面上で配列された医用画像を、前記グループ単位で前記表示画面上をスクロールさせること、を特徴とする医用画像観察装置。【選択図】図２
2011254904.tif 000002
【特許請求の範囲】
【請求項１】
複数の医用画像のデータを受信するデータ受信部と、
前記データ受信部により受信した前記複数の医用画像のデータに基づき医用画像を表示する表示部と、
前記受信した複数の医用画像のデータに基づく医用画像を前記表示部の表示画面にレイアウトして表示するための制御を行う制御部とを具備し、
前記制御部は、
医用画像発生装置の種類、画像撮影条件、画像生成方法、撮影位置、操作者の指示、前記操作者による設定、および画像撮影日時のうち少なくとも一つに従って複数のグループに分類される前記受信した複数の医用画像のデータに基づく医用画像を、前記グループごとに前記表示画面上に配列して表示させ、
前記操作者によるスクロール指示に従って、前記表示画面上で配列された医用画像を、前記グループ単位で前記表示画面上をスクロールさせること、
を特徴とする医用画像観察装置。
【請求項２】
前記制御部は、予め設定されたスクロールされる方向に従って、前記表示画面上に配列されていない医用画像を前記表示画面にレイアウトするため、または前記表示画面にレイアウトされた医用画像を前記表示画面から除外するため、または予め設定されたスクロールされる方向に従って前記表示画面にレイアウトされた医用画像を前記表示画面から除外しかつ前記表示画面上に配列されていない医用画像を前記表示画面にレイアウトするための制御を行うこと、
を特徴とする請求項１記載の医用画像観察装置。
【請求項３】
前記操作者により指示された少なくとも一つのグループに含まれる医用画像がスクロールされること、
を特徴とする請求項１記載の医用画像観察装置。
【請求項４】
前記医用画像は、前記操作者により設定された方向に配列されること、
を特徴とする請求項１記載の医用画像観察装置。
【請求項５】
前記医用画像は、前記操作者により設定された方向にスクロールされること、
を特徴とする請求項１記載の医用画像観察装置。
【請求項６】
前記制御部は、医用画像の枚数が所定の枚数に達していないグループを表示対象から除外すること、
を特徴とする請求項１記載の医用画像観察装置。
【請求項７】
前記制御部は、前記表示画面の所定の範囲内にポインタが位置するとき、前記医用画像のスクロールを前記操作者の指示に従って開始または終了させること、
を特徴とする請求項１記載の医用画像観察装置。
【請求項８】
前記制御部は、前記表示画面における医用画像が表示される領域を複数の表示区画に分割し、または前記表示される領域を一つの表示区画として、前記表示区画に配列された医用画像を前記表示区画間で入れ換えるための制御を行うこと、
を特徴とする請求項１記載の医用画像観察装置。
【請求項９】
前記医用画像は、前記表示画面の第１の端から前記第１の端に対向する第２の端へ向かう方向、または前記第２の端から前記第１の端へ向かう方向に配列され、
前記配列された医用画像は、前記配列された方向または前記配列された方向の逆方向にスクロールされること、
を特徴とする請求項１記載の医用画像観察装置。
【請求項１０】
前記医用画像は、ｎおよびｍを１以上の整数としてｎ行ｍ列の複数の表示枠に区分された前記表示画面に対して、前記表示画面の右下端であるｎ行ｍ列の表示枠からｎ行１列の表示枠まで向かい、続けてｎ−１行ｍ列の表示枠からｎ−１行１列の表示枠まで向かう手順を、ｎ行ｍ列の表示枠から１行１列の表示枠まで繰り返すことによって得られる方向に配列され、
前記配列された医用画像は、前記配列された方向または前記配列された方向の逆方向にスクロールされること、
を特徴とする請求項１記載の医用画像観察装置。
【請求項１１】
前記医用画像は、前記表示画面の右下端から前記表示画面の左上端ヘ向かう方向に平行な方向、または前記左上端から右下端へ向かう方向に平行な方向に配列され、
前記配列された医用画像は、前記配列された方向または前記配列された方向の逆方向にスクロールされること、
を特徴とする請求項１記載の医用画像観察装置。
【請求項１２】
前記医用画像をスクロールさせる方向またはスクロールさせる規則は、前記操作者の指示に従って設定され、
前記医用画像発生装置の種類、前記画像撮影条件、前記画像生成方法、前記撮影位置、前記操作者の指示、前記操作者による設定、および前記画像撮影日時のうち少なくとも一つに従って複数のグループに分類される前記受信した複数の医用画像のデータは、設定された前記スクロールさせる方向または前記スクロールさせる規則に従って前記グループごとに前記表示画面上に配列され、
前記制御部は、前記表示画面上に前記前記グループごとに配列された複数の医用画像の少なくとも一つを前記操作者の指示に従って前記表示画面上にレイアウトするため、または前記表示画面にレイアウトされた医用画像を前記操作者の指示に従って前記表示画面から除外するため、または前記表示画面上に前記前記グループごとに配列された複数の医用画像の少なくとも一つを前記操作者の指示に従って前記表示画面上にレイアウトしかつ前記表示画面にレイアウトされた医用画像を前記操作者の指示に従って前記表示画面から除外するための制御を行うこと、
を特徴とする請求項１記載の医用画像観察装置。
【請求項１３】
前記制御部は、前記操作者の指示に従って、前記表示画面にレイアウトされた医用画像と前記操作者によって選択された医用画像とを入れ換えるための制御を行うこと、
を特徴とする請求項１記載の医用画像観察装置。
【請求項１４】
表示画面を有する表示部と、
前記表示部を制御する制御部とを具備し、
前記制御部は、
複数の医用画像の表示順序を設定するための複数の区画のうちの特定の区画を表示用の区画に設定し、
前記表示順序に従って前記複数の区画に前記複数の医用画像を配置し、
操作者からの指示の入力に応じて、前記表示用の区画に前記複数の医用画像のうちの表示対象の医用画像が前記表示順序に従って配置されるよう制御を行うこと、
を特徴とする医用画像観察装置。
【発明の詳細な説明】
【技術分野】
【０００１】
本発明の実施形態は、医用画像を表示する医用画像観察装置に関する。
【背景技術】
【０００２】
従来、医用画像観察装置は、表示画面の予め設定された場所に、読影対象とする複数の医用画像をシリーズ単位で表示する。例えば、読影医により選択されたシリーズの数に応じて、読影される医用画像の表示領域が表示画面に割り当てられて表示される（例えば図１３乃至図１４）。
【０００３】
しかしながら、表示画面に表示されるシリーズの数は、表示画面の大きさや読影医が所望する医用画像の大きさにより制限される。このため、読影医が必要とする医用画像を医用画像観察装置に表示させることができない問題がある。
【発明の概要】
【発明が解決しようとする課題】
【０００４】
目的は、読影医が必要とする医用画像を医用画像観察装置に表示させることである。
【課題を解決するための手段】
【０００５】
本実施形態に係る医用画像観察装置は、複数の医用画像のデータを受信するデータ受信部と、前記データ受信部により受信した前記複数の医用画像のデータに基づき医用画像を表示する表示部と、前記受信した複数の医用画像のデータに基づく医用画像を前記表示部の表示画面にレイアウトして表示するための制御を行う制御部とを具備し、前記制御部は、医用画像発生装置の種類、画像撮影条件、画像生成方法、撮影位置、操作者の指示、前記操作者による設定、および画像撮影日時のうち少なくとも一つに従って複数のグループに分類される前記受信した複数の医用画像のデータに基づく医用画像を、前記グループごとに前記表示画面上に配列して表示させ、前記操作者によるスクロール指示に従って、前記表示画面上で配列された医用画像を、前記グループ単位で前記表示画面上をスクロールさせること、を特徴とする医用画像観察装置。
【図面の簡単な説明】
【０００６】
【図１】第１の実施形態に係る医用画像観察装置を含むシステム構成の一例を示す図である。
【図２】第１の実施形態に係る医用画像観察装置のブロック構成の一例を示す図である。
【図３】第１の実施形態に係り、読影医が必要とする医用画像を医用画像観察装置に表示させるための手順を示すフローチャートである。
【図４】第１の実施形態に係り、グループごとに配列される複数の医用画像、およびスクロール方向を設定する表示画面の一例である。
【図５】第１の実施形態に係り、予め設定されたレイアウトルールによりグループごとに配列された複数の医用画像、および複数のスクロール方向を設定する表示画面の一例である。
【図６】第１の実施形態に係り、表示領域と非表示領域とに区分された表示画面に配列された複数の医用画像の一例を示す図である。実線は表示領域、点線は非表示領域をそれぞれ示している。
【図７】第１の実施形態に係り、表示画面１の画面上における医用画像と表示画面２の画面上における医用画像とを入れ換える一例を示す図である。
【図８】第１の実施形態に係り、複数の表示画面にグループごとに配列された医用画像全てが、操作者による表示画面ごとのスクロール指示に従って、グループ単位でそれぞれの表示画面上をスクロールされる一例を示す図である。
【図９】第１の実施形態に係り、複数の表示画面に配列された医用画像の一部が、操作者による表示画面ごとのスクロール指示に従って、グループ単位でそれぞれの表示画面上をスクロールされる一例を示す図である。
【図１０】第１の実施形態に係り、医用画像の枚数が所定の枚数に達していないグループを表示対象から除外する一例を示す図である。
【図１１】第１の実施形態に係り、アノテーションを有する医用画像がグループ単位でスクロールされるとき、所定時間の経過に同期してアノテーションを表示する一例を示す図である。
【図１２】第１の実施形態に係り、２つの区域に区分された表示画面におけるポインタの位置に基づいて、医用画像の入れ替え指示が実行される区域と医用画像群のスクロール指示が実行される区域との境界の一例を示す図である。例えば、ポインタが医用画像上に位置する場合またはシリーズが選択されている（アクティブになっている）場合は、画像めくりが実行される。また、シフト（ＳＨＩＦＴ）キーを押しながらホイールを操作するとスクロールが実行され、シフトキーを押していないときホイールを操作すると画像めくりが実行されてもよい。
【図１３】従来の画像観察装置において、複数の医用画像が表示される表示画面の一例を示す図である。
【図１４】従来の画像観察装置において、図１３に示された複数の医用画像それぞれの付帯情報を示す図である。
【発明を実施するための形態】
【０００７】
以下、図面を参照しながら本実施形態に係わる医用画像観察装置を説明する。本実施形態に係る医用画像観察装置は、例えば、同一被検体の同一スキャン部位に関する２つの断面画像を画面上に並列に表示し、比較読影のために用いられる。なお、以下の説明において、略同一の機能及び構成を有する構成要素については、同一符号を付し、重複説明は必要な場合にのみ行う。
【０００８】
（第１の実施形態）  
以下、図面を参照して、第１の実施形態を説明する。
【０００９】
図１は、第１の実施形態に係る医用画像観察装置を含むシステム構成の一例を示す図である。
【００１０】
医用画像観察装置を含むシステムは、医用画像発生装置１、データベースサーバ３、ビューワとしての汎用ＰＣ（Ｐｅｒｓｏｎａｌ  Ｃｏｍｐｕｔｅｒ）５、医用画像観察装置７を有している。なお、ローカルエリアネットワーク（Ｌｏｃａｌ  Ａｒｅａ  Ｎｅｔｗｏｒｋ：以下ＬＡＮと呼ぶ）を介して図示していない画像処理装置を接続してもよい。画像処理装置は、医用画像発生装置１で発生された複数の医用画像のデ−タに対してレンダリング処理などの画像処理を施すことで、３次元画像データや断面変換された画像データなどを発生する。
【００１１】
医用画像発生装置１は、被検体内を画像化することで、医用画像のデータを発生させる装置である。医用画像発生装置１は、超音波を送受信することで被検体内を画像化する超音波診断装置、Ｘ線を曝射することで被検体内を画像化するＸ線診断装置やＸ線コンピュータ断層撮影装置（以下Ｘ線ＣＴ（Ｃｏｍｐｕｔｅｄ  Ｔｏｍｏｇｒａｐｈｙ）装置と呼ぶ）、または磁場を発生させて被検体内を画像化する磁気共鳴イメージング装置（以下ＭＲＩ（Ｍａｇｎｅｔｉｃ  Ｒｅｓｏｎａｎｃｅ  Ｉｍａｇｉｎｇ）装置と呼ぶ）などである。医用画像発生装置１は、通信機能を有するコンピュータを備え、ＬＡＮを介してデータ通信可能となっている。
【００１２】
医用画像発生装置１は、医用画像のデータの付帯情報をこの医用画像のデータに付帯させた医用画像のデータを、データベースサーバ３に出力する。付帯情報は、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に従って、検査日時情報、患者ＩＤ（ＩＤｅｎｔｉｆｉｅｒ）、検査ＩＤ、シリーズＩＤ、医用画像固有の番号であるイメージＩＤ、および画像属性情報を含んで構成されている。患者ＩＤ、検査ＩＤ、シリーズＩＤ、イメージＩＤ、および画像属性情報などの情報は、ＤＩＣＯＭ規格に従って規格化されている。患者ＩＤは、撮影された被検体を特定するための情報である。検査ＩＤは、検査内容を特定するための情報である。シリーズＩＤは、撮影された被検体の部位ごと、画像発生時刻、スライス厚、画像生成方法、被検体を撮影した画像の画像撮影条件や撮影位置、または造影剤の有無などで、発生された複数の医用画像を分類するために用いられる情報である。画像生成方法とは、例えば、画像発生装置１により取得された投影データまたは信号データに基づいて、医用画像を再構成する方法である。
【００１３】
被検体に対して複数の検査が実施されている場合、それぞれの検査で発生された複数の医用画像のデータに、それぞれの検査を示す検査ＩＤが付されて、検査ごとに分類される。また、複数の部位を撮影するなどして検査に複数のシリーズが含まれている場合は、それぞれのシリーズについて発生された複数の医用画像のデータに、それぞれのシリーズを示すシリーズＩＤが付されて、シリーズごとに分類される。すなわち、ある患者ＩＤが付帯された複数の医用画像のデータは、検査ＩＤによって検査ごとに分類され、さらにそれぞれの検査では、シリーズＩＤによって、シリーズごとに分類される。画像属性情報は、医用画像の種別を特定するための情報である。画像属性情報は、例えば、モダリティ名、モダリティの製造者、装置シリアル番号、および検査対象の被検体の部位を特定するための情報などである。なお、上記付帯情報は、ＤＩＣＯＭ規格に基づいて説明をしたが、他の標準規格を適用してもよい。
【００１４】
データベースサーバ３は、複数の医用画像を保管するための複数のハードディスクドライブ（Ｈａｒｄ  Ｄｉｓｋ  Ｄｒｉｖｅ：以下ＨＤＤと呼ぶ）やＮＡＳ（Ｎｅｔｗｏｒｋ  Ａｔｔａｃｈｅｄ  Ｓｔｏｒａｇｅ）などを有する。データベースサーバ３は、医用画像発生装置１により発生された医用画像のデータに付帯情報を付帯させた医用画像のデータを、ＬＡＮを介した受信により保管する。データベースサーバ３は、医用画像観察装置７によりアノテーション（Ａｎｏｔａｔｉｏｎ）が付加された医用画像を、ＬＡＮを介した受信により保管する。アノテーションとは、例えば、医用画像において着目されている位置につけられるマーカ、医用画像の所見を示す文字列、および医用画像に付けられたコメントなどの医用画像に付加する付加情報である。
【００１５】
ビューワとしての汎用コンピュータ５および医用画像観察装置７は、データベースサーバ３に保管された複数の医用画像のデータを、操作者からの指示に従って表示する。
【００１６】
図２は、第１の実施形態に係る医用画像観察装置７もしくはビューワとしての汎用コンピュータ５のブロック構成の一例を示す図である。以下ではビューワとして医用画像観察装置７を例にとり説明する。医用画像観察装置７は、データ受信部１１、メモリ部１５、制御部１７、入力部１９、表示部２１を有している。なお、本実施形態における医用画像観察装置は、メモリ部１５を具備しない装置としても、動作可能である。このとき、医用画像画像観察装置１およびデータベースサーバ３から受信された医用画像は、以下で説明する制御部１７による制御のもとで、表示部２１の表示画面に表示される。
【００１７】
データ受信部１１は、ＬＡＮを介して、データベースサーバ３で保管された複数の医用画像のデータ、または画像発生装置１で発生された医用画像のデータを受信する。データ受信部１１は、入力部１９を介して入力されたアノテーションを付加した医用画像を、ＬＡＮを介してデータベースサーバ３に送信する。
【００１８】
メモリ部１５は、半導体集積回路で構成されたＲＡＭ（Ｒａｎｄｏｍ  Ａｃｃｅｓｓ  Ｍｅｍｏｒｙ）、半導体記憶素子であるＦｌａｓｈ  ＳＳＤ（Ｓｏｌｉｄ  Ｓｔａｔｅ  Ｄｉｓｋ）などの半導体記憶装置、ＨＤＤなどである。メモリ部１５は、入力部１９を介した操作者の指示により、データ受信部１１により受信された複数の医用画像のデータ、および医用画像のデータに関連するデータなどを一時的に記憶する。
【００１９】
制御部１７は、図示しない中央処理装置（Ｃｅｎｔｒａｌ  Ｐｒｏｃｅｓｓｉｎｇ  Ｕｎｉｔ：以下ＣＰＵと呼ぶ）と記憶回路とを備える。制御部１７は、入力部１９を介した操作者の指示により、メモリ部１５に記憶された複数の医用画像を表示部２１の表示画面にレイアウトするためのルール（以下レイアウトルールと呼ぶ）を記憶回路に記憶する。レイアウトルールについては、以下で詳述する。制御部１７は、入力部１９を介した操作者の指示により、表示部２１の表示画面に配列された医用画像をスクロールするためのルール（以下スクロールルールと呼ぶ）を記憶回路に記憶する。スクロールルールについては、以下で詳述する。
【００２０】
制御部１７は、入力部１９を介した操作者の指示に従って選択された複数の医用画像のデータを、データベースサーバ３から読み出させて、メモリ部１５に書き込ませる。制御部１７は、メモリ部１５に書き込まれた複数の医用画像のデータの一部を、表示部２１の表示走査方式のもと、記憶回路から読み出されたレイアウトルールに従って読み出させる。なお、制御部１７は、データベースサーバ３から選択的に読み出させた複数の医用画像を、操作者により設定されたスクロールルールおよびレイアウトルールの少なくとも一つに従って、表示画面上にレイアウトするためにデータ書き込みとデータ読み出しの少なくとも一方を制御してもよい。また、制御部１７は、操作者により設定されたスクロールルールおよびレイアウトルールの少なくとも一つに従って、前記表示画面にレイアウトされた医用画像を前記表示画面から除外するために、データ書き込みとデータ読み出しの少なくとも一方を制御してもよい。さらに、制御部１７は、操作者により設定されたスクロールルールおよびレイアウトルールの少なくとも一つに従って、表示画面にレイアウトされた医用画像を表示画面から除外すると略同時に、医用画像を表示画面上にレイアウトするためにデータ書き込みとデータ読み出しの少なくとも一方を制御してもよい。また、制御部１７は、表示画面にレイアウトされた医用画像と操作者によって選択された医用画像（例えば、データベースサーバ３に記憶された医用画像など）とを入れ換えるために、データ書き込みとデータ読み出しの少なくとも一方を制御してもよい。
【００２１】
制御部１７は、レイアウトルールおよびスクロールルールが設定されるとき、表示部２１の表示画面を、読影のある瞬間に医用画像が表示される領域（以下表示領域と呼ぶ）と読影のある瞬間に医用画像が表示されない領域（以下非表示領域と呼ぶ）とに区分する。なお、表示画面の区分は、入力部１９を介した操作者の指示により設定可能である。また、制御部１７は、複数の医用画像の表示順序を設定するための複数の区画を、例えばメモリ部１５に設定し、これら複数の区画のうちの特定の区画を表示用の区画として設定することも可能である。なお、表示用の区画全体は、上記表示領域に対応し、複数の区画から表示用の区画を除外した区画は、上記非表示領域に対応する。
【００２２】
以下レイアウトルールについて説明する。レイアウトルールとは、メモリ部１５に記憶されている複数の医用画像を表示部２１の表示画面にレイアウトするために、メモリ部１５からのデータ読み出しを制御するための規則である。具体的には、このレイアウトルールのもとでは、表示部２１の表示画面は、ｎおよびｍを１以上の整数としてｎ行ｍ列の複数の表示枠に区分される。表示枠の大きさは、読影される医用画像の大きさに対応する。なお、表示枠の大きさは、操作者が所望する表示枠の大きさに設定可能である。入力部１９を介して操作者により選択された複数の医用画像は、医用画像発生装置１の種類、画像生成方法、画像撮影条件、撮影位置、操作者の指示、操作者による設定、および画像撮影日時などのうち少なくとも一つに従って複数のグループに分類される。分類された複数の医用画像は、グループごとに、表示部２１の表示画面に配列される。操作者による設定とは、例えば、ＤＩＣＯＭ規格などにおける医用画像の付帯情報のタグ（Ｔａｇ）の情報を利用して、操作者が予めグループに分類される情報を設定することである。設定された情報を有する複数の医用画像は、一つのグループとして扱われる。
【００２３】
レイアウトルール、およびスクロールルールを設定するときの表示画面（以下設定画面と呼ぶ）は、表示領域と非表示領域とに区分される。設定画面上の表示領域における複数の枠の大きさは、読影時における複数の表示枠の大きさより小さい。非表示領域は、表示領域に属する複数の枠（上記ｎ行ｍ列）を周囲に拡張した様式で設定される。設定画面における表示領域における複数の枠および非表示領域における複数の枠には、入力部１９を介した操作者の指示に従って、グループごとに複数の医用画像が配列される。なお、表示領域の複数の枠に配列された医用画像は、入力部１９を介した操作者の操作により、非表示領域の複数の枠に配列された医用画像と入れ換えること、または置き換えることも可能である。加えて、表示領域の複数の枠に配列された医用画像は、入力部１９を介した操作者の操作により、データベースサーバ３に記憶された医用画像と入れ換えることも可能である。なお、表示領域の複数の枠の大きさは、医用画像をスクロールさせているときにおいて変化しない。すなわち、以下で説明する医用画像のスクロールにおいて、医用画像が表示画面から除外される時と表示画面に配列されていない医用画像が表示画面にレイアウトされる時とは、略同時に制御部１７により制御される。
【００２４】
レイアウトルールによる医用画像の具体的な配列方向は、以下の動作で詳述する。なお、レイアウトルールは、操作者により任意に変更可能である。具体的には、分類された複数の医用画像をグループごとに表示画面上に配列させる方向、および配列させる順序は、入力部１９を介して操作者により設定可能である。なお、複数のグループそれぞれに属する複数の医用画像を順序付けすることも可能である。また、複数の医用画像を分類する複数のグループそれぞれは、ＤＩＣＯＭ規格に従うシリーズとしてもよい。
【００２５】
以下スクロールルールについて説明する。スクロールルールとは、表示画面上に配列された複数の医用画像、または表示されていない複数の医用画像をグループ単位でスクロールさせるために、メモリ部１５からのデータ読み出しを制御するための規則である。スクロールルールのもとでは、複数の医用画像は、レイアウトルールによって複数の医用画像が配列された方向にスクロ−ルされる。なお、スクロールされる方向は、配列された方向の逆方向であってもよい。これにより、非表示領域に配列された複数の医用画像は、表示画面に表示される。なお、スクロールされる医用画像が属するグループは、入力部１９を介した操作者の指示により選択されてもよい。また、医用画像がスクロールされる方向は、入力部１９を介した操作者の指示により設定されてもよい。スクロールルールによる具体的なスクロール方向は、以下の動作で詳述する。なお、複数のグループそれぞれがＤＩＣＯＭ規格に従うシリーズである場合、スクロールルールは、シリーズごとにスクロールさせるルールとなる。制御部１７は、操作者によるスクロール指示のもと、記憶回路から読み出されたスクロールルールに従って、表示部２１で表示された複数の医用画像をグループごとにスクロールさせる。
【００２６】
なお、制御部１７は、上記スクロールルールに対応する複数の医用画像の表示順序を上記複数の区画に設定し、設定された表示順序に従って上記複数の区画に複数の医用画像を配置することも可能である。このとき、制御部１７は、入力部１９を介した操作者からのスクロールの指示の入力に応じて、複数の医用画像のうちの表示対象の医用画像を上記表示順序に従って、表示用の区画に配置させるように表示部２１を制御する。
【００２７】
制御部１７は、表示部２１における複数の表示画面間で表示されている医用画像を入れ換えるために、メモリ部１５のデータ読み出しを制御する。具体的には、入力部１９を介して操作者により、異なる表示画面において入れ換えられる第１の医用画像と第２の医用画像とが選択される。第１の医用画像が属する第１のグループと第２の医用画像が属する第２のグループにおいて、第１の医用画像は第２のグループに属し、第２の医用画像は第１のグループに属するように入れ換えられる。この属するグループの変更は、レイアウトルールの変更に対応する。変更されたレイアウトルールに従って、制御部１７は、メモリ部１５のデータ読み出しを制御する。なお、入れ換えられる医用画像は、２枚に限定されない。
【００２８】
なお、制御部１７における読み出し制御は、表示部２１にフレームメモリを新たに設け、フレームメモリへの書き込み制御に変更させてもよい。このとき、表示領域と非表示領域とは、フレームメモリに設けられてもよい。
【００２９】
入力部１９は、操作者からの各種指示・命令・情報・選択・設定を制御部１７に入力する。入力部１９は、レイアウトルールおよびスクロールルールの設定、複数の医用画像のデータの選択、スクロール指示、入れ換える医用画像の選択、設定画面の区分などを行うためのトラックボール、スイッチボタン、マウス、キーボード等の入力デバイスを有する。なお、入力デバイスは、表示画面を覆うように設けられたタッチパネルでもよい。
【００３０】
具体的には、入力部１９は、操作者による入力デバイスの操作に従って、データベースサーバ３に記憶された複数の医用画像のデータから複数の医用画像のデータに関する選択指示、レイアウトルールにおける複数の医用画像を複数のグループに分類するための条件、複数の医用画像をグループごとに表示画面上に配列させる方向、および医用画像をグループ単位でスクロールさせる方向、表示順序などを、制御部１７に入力する。
【００３１】
表示部２１は、メモリ部１５から読み出されたデータを表示画面に表示する。なお、表示部２１は、複数の表示画面を有していてもよい。表示部２１は、複数の医用画像を、表示領域と非表示領域とに対して割り当ててグループごとにレイアウトするための設定画面を表示する。
【００３２】
（動作）  
次に、医用画像観察装置７において、図３に示すフローチャートを参照しながら、操作者の指示に従って選択的に読み出された複数の医用画像のデータの一部を表示部２１の表示画面に表示する動作と、表示された複数の医用画像をスクロールさせることにより、非表示領域に配列された医用画像を表示部２１の表示画面に表示する動作とについて説明する。
【００３３】
入力部１９を介して操作者の指示に従って、データベースサーバ３に記憶された複数の医用画像などのデータが選択される（ステップＳ１１）。制御部１７は、入力部１９を介した操作者の指示による設定のもと、レイアウトルールを記憶回路から読み出させる（ステップＳ１２）。制御部１７は、入力部１９を介した操作者の指示による設定のもと、スクロールルールを記憶回路から読み出させる（ステップＳ１３）。なお、ステップＳ１１乃至ステップＳ１３は、順序不同でもよい。また、レイアウトルールおよびスクロールルールは、表示部２１に表示された設定画面または複数の表示区画に対して、入力部１９を介して操作者の指示により設定されてもよい。
【００３４】
図４は、予め設定されたレイアウトルールによりグループごとに配列された複数の医用画像と設定されたスクロール方向とを表示した設定画面の一例である。図４における医用画像４１乃至医用画像４６は、それぞれグループ１乃至グループ６に属している医用画像を示している。実線で囲まれた枠４４１乃至枠４４４は、読影時に表示部２１の表示画面に表示される表示領域を示している。点線で囲まれた枠４４５乃至枠４４６は、読影時に表示部２１の表示画面に表示されない非表示領域を示している。表示領域と非表示領域との枠には、スクロールの対象の医用画像が配置される。矢印は、医用画像４１乃至医用画像４６がスクロールされる方向を示している。読影時では、まず図４における医用画像４１乃至医用画像４４が表示部２１の表示画面に表示される。
【００３５】
次にスクロール指示が入力部１９を介して操作者により入力されると、矢印の方向に沿って、複数の医用画像がスクロールされる。このとき、枠４４１には、医用画像４２が配置され、枠４４２には医用画像４３が配置され、枠４４３には、医用画像４４が配置され、枠４４４には医用画像４５が配置されて、表示部２１の表示画面に表示される。また、枠４４５には医用画像４６が配置される。このスクロールにおける医用画像の配置と略同時に、医用画像４１は表示画面から除外される。具体的には、メモリ部１５に記憶された医用画像４２乃至医用画像４５は、制御部１７による読み出し制御により、レイアウトルールおよびスクロールルールに従って、枠４４１乃至枠４４４にそれぞれ配列されて、表示部２１の表示画面に表示される。
【００３６】
さらにスクロール指示が入力部１９を介して操作者により入力されると、矢印の方向に沿って、複数の医用画像がスクロールされる。このとき、枠４４１には、医用画像４３が配置され、枠４４２には医用画像４４が配置され、枠４４３には医用画像４５が配置され、枠４４４には医用画像４６が配置されて、表示画面に表示される。このスクロールにおける医用画像の配置と略同時に、医用画像４２は表示画面から除外される。具体的には、メモリ部１５に記憶された医用画像４３乃至医用画像４６は、制御部１７による読み出し制御により、レイアウトルールおよびスクロールルールに従って、枠４４１乃至枠４４４にそれぞれ配列されて、表示部２１の表示画面に表示される。
【００３７】
図５は、予め設定されたレイアウトルールによりグループごとに配列された複数の医用画像と複数のスクロール方向とを表示した設定画面の一例である。実線で囲まれた複数の枠は、読影時に表示部２１の表示画面に表示される表示領域を示している。点線で囲まれた枠は、読影時に表示部２１の表示画面に医用画像を配列させない非表示領域を示している。矢印は、第１行および第２行がスクロールされる方向と、第３行および第４行がスクロールされる方向とを示している。なお、図５における５行目のように、スクロールしないスクロールルールを設定することも可能である。
【００３８】
図６は、表示領域と非表示領域とに区分された表示画面に、医用画像の付帯情報を用いて配列された複数の医用画像の付帯情報の一例を示す図である。図６における実線で囲まれた複数の枠は、表示画面に医用画像を配列させる表示領域を示している。図６における点線で囲まれた複数の枠は、表示画面に医用画像を配列させない非表示領域を示している。入力部１９を介した操作者の指示により、表示領域および非表示領域それぞれの大きさおよび枠の総数は任意に設定可能である。複数の医用画像は、入力部１９を介した操作者の指示により、グループごとに表示領域または非表示領域それぞれに配列させることも可能である。なお、設定画面においては、スクロールされる医用画像を例えば数字で関連付けることも可能である。また図６は、グループごとに配列される複数の医用画像それぞれの付帯情報に基づいて、図５と同じレイアウトを設定する設定表示の一例でもある。例えば、１行２列目の医用画像５１２の付帯情報は、当日のＣＴ検査、属するグループがグループ１、およびグループ１の１枚目であることを示している。グループ１の１枚目とは、グループ１に属する複数の医用画像は、順序付けがなされていることに基づいている。なお、グループに属する複数の医用画像が順序付けをなされていない場合、ＤＩＣＯＭ規格などによる付帯情報により、医用画像を特定させることも可能である。また、図５、図６のように、１行１列および３行２列の表示枠に医用画像を配置させないようにレイアウトすることも可能である。
【００３９】
ステップＳ１３の後、制御部１７は、選択された複数の医用画像のデータをデータベースサーバ３からデータ受信部３を介して読み出させ、メモリ部１５に書き込ませる（ステップＳ１４）。続いて制御部１７は、メモリ部１５に書き込まれた複数の医用画像のデータの一部を、表示部２１の表示走査方式のもと、設定されたレイアウトルールに従って読み出させる（ステップＳ１５）。複数の医用画像のデータの一部とは、選択された複数の医用画像のうち、上記複数の表示枠または表示用の区画に対応する数（ｎ×ｍ）の医用画像である。レイアウトルールとしては、例えば、ＭＲＩの画像を当日の検査日時で撮影部位に従って表示画面最上の行に配列させ、ＭＲＩの画像を過去の検査日時で表示画面最上の行の撮影部位と対応させて最上の行の一つ下段の行に配列させるルールなどである。このレイアウトルールのもとでは、表示画面最上の行と最上の行の一つ下段の行とに配列されたＭＲＩ画像を撮影部位ごとに比較読影されることができる。
【００４０】
入力部１９を介して操作者により、異なる表示画面に表示された医用画像を入れ換える指示がなされたとき（ステップＳ１６）、操作者の指示に従って、医用画像を入れ換えたレイアウトルールを設定する（ステップＳ１７）。図７は、表示画面１の画面上における医用画像と表示画面２の画面上における医用画像とを入れ換える一例を示す図である。入力部１９を介して操作者により、異なる表示画面に表示された医用画像が選択されると、これら選択された医用画像を入れ換えたレイアウトルールが設定される。
【００４１】
入力部１９を介して操作者により、複数の表示画面に表示された医用画像を入れ換える指示がなされないとき（ステップＳ１６）、操作者によるスクロール指示に備えて待機する（ステップＳ１８）。この待機のとき、表示画面は静止状態となる。読影の終了の指示がなく（ステップＳ１９）、入力部１９を介して操作者によりスクロール指示がなされたとき、設定されたスクロールルールに従って、制御部１７は、表示されている複数の医用画像を、グループ単位でスクロールさせる（ステップＳ２０）。読影の終了が選択される（ステップＳ１９）まで、表示部２１の表示走査方式のもと、メモリ部１５に書き込まれた複数の医用画像の一部を設定されたレイアウトルールに従って読み出させる処理（ステップＳ１５）から、表示されている複数の医用画像をグループ単位でスクロールさせる処理（ステップＳ２０）までの動作が繰り返される。以下、レイアウトルールおよびスクロールルールの一例を示す図について説明する。
【００４２】
図８は、複数の表示画面にグループごとに配列された医用画像全てが、表示画面ごとの操作者によるスクロール指示に従って、グループ単位でそれぞれの表示画面上をスクロールされる一例を示す図である。図８の表示画面１および表示画面２において、複数の医用画像は、５行４列の表示枠から５行１列に向かい、５行１列の表示枠の次は４行４列の表示枠に移り、続いて４行４列の表示枠から４行１列の表示枠に向かい、４行１列の表示枠の次は４行４列の表示枠に移り、続いて４行４列の表示枠から４行１列の表示枠に向かい、４行１列の表示枠の次は３行４列の表示枠に移り、続いて３行４列の表示枠から３行１列の表示枠に向かい、３行１列の表示枠の次は２行４列の表示枠に移り、続いて２行４列の表示枠から２行１列の表示枠に向かい、２行１列の表示枠の次は１行４列の表示枠に移り、続いて１行４列の表示枠から１行１列の表示枠に向かう方向に配列される。以下上記配列方向の型をＺ型と呼ぶ。
【００４３】
図８の表示画面１および表示画面２における複数の医用画像は、Ｚ型にスクロールされる。表示画面１乃至表示画面４における空白の表示枠は、医用画像が配列されていない表示枠である。図８の表示画面３に表示された複数の医用画像は、行ごとに表示画面３の右端から表示画面３の左端向かう方向に配列され、スクロールされる。図８の表示画面３は、５行３列の表示枠に表示された医用画像が属するグループの５枚目である場合、５行３列の表示枠に表示された医用画像がグループの５枚目を維持したままスクロールされる例を示している。図８の表示画面４に表示された複数の医用画像は、列ごとに表示画面４の下端から表示画面４の上端に向かう方向でスクロールされる。図８（ａ）は、複数の表示画面それぞれと医用画像がスクロールされる方向とを示す一覧表である。
【００４４】
図９は、複数の表示画面に配列された医用画像の一部が、操作者による表示画面ごとのスクロール指示に従って、グループ単位でそれぞれの表示画面上をスクロールされる一例を示す図である。図９の表示画面１および表示画面３は、複数の医用画像をスクロールする方向が異なる１行目乃至３行目と、スクロールされない４行目および５行目とを示している。図９の表示画面１において、１行目の複数の医用画像は表示画面１の右端から表示画面１の左端へ配列され、スクロールされる。２行目の複数の医用画像は、表示画面１の左端から表示画面１の右端へ配列され、スクロールされる。３行目の複数の医用画像は、表示画面１の右端から表示画面１の左端へ配列され、スクロールされる。図９の表示画面２における複数の医用画像は、Ｚ型に配列され、スクロールされる。図９の表示画面３において、１行目および２行目の複数の医用画像は、表示画面１の右端から表示画面１の左端へ配列され、スクロールされる。３行目の複数の医用画像は、表示画面１の左端から表示画面１の右端へスクロールされる。図９の表示画面４は、表示画面４の右下端から表示画面４の左上端へ向かう方向（以下対角線方向と呼ぶ）に平行な方向に配列され、スクロールされる。
【００４５】
図９（ａ）は、複数の表示画面それぞれと、医用画像がスクロールされる行列情報と、医用画像がスクロールされる方向とを示す一覧表である。図８（ａ）と比べて図９（ａ）は、スクロールされる行列情報が付加されている。スクロールされる行列情報は、入力部１９を介して操作者により設定されたスクロールされる行列の情報である。このスクロールされる行列情報により、ｎ行ｍ列に区分された複数の表示枠に対して、スクロールを行列ごとに設定することが可能となる。
【００４６】
なお、図７のように２つの表示画面がある場合、片方の表示画面（例えば表示画面２）に１枚の医用画像を表示し、他方の表示画面（例えば表示画面１）に複数の医用画像を表示させるようにしてもよい。
【００４７】
（第１の変形例）  
第１の実施形態との相違は、第１の実施形態におけるレイアウトルールに、所定の枚数に達していない医用画像の枚数が属するグループを表示対象から除外することを付加するものである。
【００４８】
入力部１９は、医用画像を表示対象から除外するための条件を制御部１７に入力する。
【００４９】
制御部１７は、グループごとに医用画像の枚数が所定の枚数に達していないグループを表示対象から除外する。具体的には、制御部１７は、入力部１９を介して操作者により設定された所定の枚数を、記憶回路に記憶する。制御部１７は、レイアウトルールのもとで複数の医用画像を分類した複数のグループそれぞれに属する医用画像の枚数をカウントする。カウントされた医用画像の枚数が所定の枚数に達していないグループに属する医用画像は、制御部１７によりメモリ部１５から読み出されない。なお、制御部１７は、メモリ部１５の記憶容量に応じて、医用画像を配列できない複数の表示枠と表示されない複数の枠を、入力部１９を介した操作者の指示により、予め設定させることも可能である。
【００５０】
図１０は、グループごとに医用画像の枚数が所定の枚数に達していないグループを表示対象から除外し、グループごとに複数の医用画像が配列される一例を示す図である。図１０における米印は、メモリ部１５の記憶容量に応じて予め設定された医用画像を配列できない表示枠である。この米印の表示枠には、医用画像を配列することができない。図１０（ａ）は、複数の表示画面それぞれと、医用画像がスクロールされる行列情報と、医用画像がスクロールされる方向と、グループ表示情報とを示す一覧表である。図９（ａ）と比べて図１０（ａ）は、グループ表示情報が付加されている。グループ表示情報は、入力部１９を介して操作者により設定された所定の条件である。この所定の条件を満たしていないグループは、表示対象から除外される。例えば、グループ表示情報が２枚以上とは、グループに属する医用画像の枚数が２枚以上のとき、このグループの医用画像が表示画面に表示されることを意味する。グループ表示情報が２枚以下とは、グループに属する医用画像の枚数が２枚以下のとき、このグループの医用画像が表示画面に表示されることを意味する。グループ表示情報がアノテーション画像以外とは、グループに属する医用画像のうちアノテーションを付加していない医用画像のみが表示画面に表示されることを意味する。
【００５１】
（第２の変形例）  
第１の実施形態との相違は、アノテーションを有する医用画像がグループ単位でスクロールされるとき、医用画像のスクロール停止から所定時間の経過に同期してアノテーションを表示させることである。
【００５２】
入力部１９は、操作者からの所定時間の設定を制御部１７に入力する。
【００５３】
制御部１７は、アノテーションを付加された医用画像がスクロールされるとき、医用画像のスクロールの停止から所定時間の経過に同期して、アノテーションを上記医用画像に表示させるように、メモリ部１５のデータ読み出しを制御する。具体的には、制御部１７は、入力部１９を介して操作者により設定された所定時間を、記憶回路に記憶する。制御部１７は、医用画像のスクロールの停止をトリガとして、所定時間の経過に同期して、上記医用画像に付加されたアノテーションをメモリ部１５から読み出させる。読み出されたアノテーションは、スクロールされた医用画像に重ねられる。所定時間については、以下で説明する。
【００５４】
図１１は、アノテーションを有する医用画像がグループ単位でスクロールされるとき、所定時間の経過に同期してアノテーションを表示する表示画面１の時系列の一例を示す図である。図１１（ａ）は、入力部１９を介して操作者によりスクロール指示の入力直後の表示画面１を示している。このとき、医用画像に付加されたアノテーションは表示されない。図１１（ａ）の表示画面１上の矢印は、医用画像がスクロールされる方向を示している。図１１（ｂ）は、医用画像のスクロールの停止直後での表示画面１を示している。図１１（ｂ）の表示画面１上の白抜きの矢印は、医用画像のスクロールの停止直後に表示されたアノテーションを表している。図１１（ｃ）は、医用画像のスクロールの停止から５．１秒経過後の表示画面１を示している。図１１（ｃ）の表示画面１上の白抜きの矢印は、医用画像のスクロールの停止直後から、０．５秒後と２．０秒後に表示されたアノテーションを表している。
【００５５】
図１１（ｄ）は、表示画面情報と、検査情報と、アノテーション表示情報とを示す一覧表である。アノテーション表示情報は、医用画像のスクロールの停止からアノテーションが表示されるまでの時間、もしくは医用画像のスクロールの停止直後からアノテーションが表示されている時間を示している。医用画像のスクロールの停止からアノテーションが表示されるまでの時間、もしくは医用画像のスクロールの停止直後からアノテーションが表示されている時間は、上記所定時間に対応する。例えば、検査情報がＭＲのＡ装置のみのアノテーション表示情報は、スクロール停止直後から０．５秒後にアノテーションを表示させるというものである。検査情報がＣＴのＢ装置のみのアノテーション表示情報は、スクロール停止直後から２．０秒後にアノテーションを表示させるというものである。検査情報がコンピューテッドラジオグラフィ（Ｃｏｍｐｕｔｅｄ  Ｒａｄｉｏｇｒａｐｈｙ：以下ＣＲと呼ぶ）のみのアノテーション表示情報は、スクロール停止直後から５．０秒間のみアノテーションを表示させる。スクロール停止直後から５．０秒間表示されたアノテーションは、スクロール停止直後から５．０秒後に非表示となる。
【００５６】
なお、図１１（ｄ）に示すように、図１１に図示していない表示画面２に関するアノテーション表示情報は、表示画面１とは独立に設定されることも可能である。
【００５７】
（第３の変形例）  
第１の実施形態との相違は、表示部２１の表示画面の所定の範囲内にポインタが位置するとき、医用画像のスクロールを操作者の指示に従って開始または終了させ、入力部１９を介した操作者の指示により、表示画面に配列されていない医用画像を表示部２１の表示画面にレイアウトするものである。
【００５８】
入力部１９は、操作者からの所定の範囲の設定を制御部１７に入力する。
【００５９】
制御部１７は、表示部２１の表示画面の所定の範囲内にポインタが位置するとき、医用画像のスクロールを操作者の指示に従って開始または終了させる。このとき制御部１７は、入力部１９を介した操作者の指示により、表示画面に表示されていない医用画像を表示部２１の表示画面にレイアウトするために、メモリ部１５のデータ読み出しを制御する。所定の範囲とは、例えば、表示画面または複数の表示枠を仮想的に分割した複数の領域、または表示された複数の医用画像のうちの一枚の医用画像、または操作者により設定されて表示された複数の医用画像である。以下、所定の範囲は、表示画面を仮想的に２つの領域に分割したものとして説明する。なお、所定の範囲は、表示画面に表示された複数の医用画像それぞれ、または表示画面に表示された複数の医用画像それぞれを分割した領域などである。
【００６０】
入力部１９を介した操作者の指示により、表示部２１の表示画面は、仮想的に２つの領域に分割される。なお、分割される領域は、２つに限定されない。制御部１７は、分割された２つの領域の一方にポインタが位置するとき、医用画像のスクロールを操作者の指示に従って開始または終了させる。なお、操作者の指示に従ってスクロールが開始または終了される領域は、入力部１９を介した操作者の指示により設定可能である。制御部１７は、入力部１９を介した操作者の指示のもと、表示画面に表示されている医用画像が属するグループに含まれる配列されていない医用画像を、表示画面にレイアウトするために、メモリ部１５のデータ読み出しを制御する（以下画像めくりと呼ぶ）。
【００６１】
図１２は、２つの区域に区分された表示画面におけるポインタの位置に基づいて、医用画像の画像めくりが実行される領域と医用画像をスクロールさせる領域との境界の一例を示す図である。図１２における表示画面の右下端と表示画面の左上端とを結んだ２重線は、上記境界を示している。図１２の表示画面各行における矢印は、医用画像がスクロールされる方向を示している。図１２のスクロールされる方向を示す矢印より大きな矢印は、ポインタを示している。図１２の表示画面におけるポインタの位置が２重線より右上側にあれば、入力部１９を介した操作者の指示により、表示画面に表示された複数の医用画像は、図１２に示されたスクロールされる方向に沿って、スクロールされる。図１２の表示画面におけるポインタの位置が２重線より左下側にあれば、医用画像のスクロールが操作者の指示により開始又は終了される。入力部１９を介した操作者の指示により、表示画面に表示された複数の医用画像それぞれが属するグループに含まれる表示画面に配列されていない医用画像が、表示画面に表示される。なお、図１２の説明における医用画像群とは、グループのことである。
【００６２】
なお、複数の医用画像のグループに対するスクロールの解除状態（以下スクロール解除状態と呼ぶ）は、入力部１９を介した操作者の指示により設定可能である。例えば、操作者がシフトキーを押していないとき、医用画像が操作者により選択されてアクティブとなっているとき、およびポインタが表示された医用画像上に位置しているときなどである。このとき、制御部１７は、入力部１９を介した操作者の指示のもと、画像めくりを実行する。操作者の指示とは、例えばシフトキーを押さずにホイールを操作することなどである。スクロールが実行される状態は、操作者がシフトキーを押しているとき、医用画像がアクティブとなっていないとき、およびポインタが表示された医用画像上に位置していないときなどである。このとき、制御部１７は、入力部１９を介した操作者の指示のもと、スクロールを実行する。操作者の指示とは、例えばシフトキーを押しながらホイールを操作することなどである。
【００６３】
第１の実施形態及び第１乃至第３の変形例の効果をまとめると以下の通りである。  
本医用画像観察装置によれば、操作者が所望する大きさに設定した表示枠を拡張して、表示画面に医用画像を配列しない複数の枠が設定される。本医用画像観察装置は、入力部１９を介して操作者により選択された複数の医用画像を、医用画像発生装置１の種類、画像生成方法、画像撮影条件、撮影位置、操作者の指示（例えばＤＩＣＯＭのプライベートタグ情報など）、撮影日時などのうち少なくとも一つに従って複数のグループに分類する。分類された複数の医用画像は、グループごとに、表示部２１の表示画面の複数の表示枠、または上記複数の枠に配列される。本医用画像観察装置は、表示画面上に配列された複数の医用画像、または表示画面上に配列されていない複数の医用画像をグループ単位で、入力部１９を介して操作者により設定されたスクロール方向に従ってスクロールさせる。これにより、表示画面に医用画像を配列させない枠に位置する医用画像は、表示画面に表示される。以上のことから本医用画像観察装置は、表示画面に表示させることができなかった医用画像を、操作者が所望する大きさで表示させることができる。
【００６４】
また、レイアウトルールおよびスクロールルールは操作者により設定できるため、本医用画像観察装置の操作性が向上し、読影医等の作業負担を軽減させることができる。さらに、アノテーションが付加された医用画像を観察する場合、医用画像のスクロール中にアノテーションを表示させないことで、スクロール中の表示画面のちらつきを軽減させることにより、読影医等の負担を軽減させることができる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１…医用画像発生装置、３…データベースサーバ、５…汎用ＰＣ（ビューワ）、７…医用画像観察装置（ビューワ）、１１…データ受信部、１５…メモリ部、１７…制御部、１９…入力部、２１…表示部
【図１】
2011254904.tif 000003
【図２】
2011254904.tif 000004
【図３】
2011254904.tif 000005
【図４】
2011254904.tif 000006
【図５】
2011254904.tif 000007
【図６】
2011254904.tif 000008
【図７】
2011254904.tif 000009
【図８】
2011254904.tif 000010
【図９】
2011254904.tif 000011
【図１０】
2011254904.tif 000012
【図１１】
2011254904.tif 000013
【図１２】
2011254904.tif 000014
【図１３】
2011254904.tif 000015
【図１４】
2011254904.tif 000016